【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
ターボ機械であって、
作動流体を生成するよう燃料が燃焼可能な燃焼器と、
発電運転のため前記作動流体を受け入れ可能なタービンセクションと、
追加燃料が燃焼可能であり、前記作動流体を前記燃焼器から前記タービンセクションに移送するよう配置された移行部品と、
前記燃焼器及び移行部品に結合され、燃料及び追加燃料の成分を複数モードで配合するよう構成された多段燃焼システムと、
を備え、
前記多段燃焼システムが、
前記燃焼器のヘッド端部に前記燃料を送給するよう配置可能なヘッド端部噴射装置と、
前記燃焼器の下流側セクション及び前記移行部品に前記追加燃料を送給するよう配置可能な軸方向多段噴射装置と、
を備え、
前記複数のモードが、
前記ヘッド端部噴射装置が、燃料として天然ガスを前記燃焼器のヘッド端部に送給し、前記軸方向多段噴射装置が、追加燃料としてシンガス又は低発熱量ガスを前記燃焼器の下流側セクション及び前記移行部品に送給する第１のモードと、
前記ヘッド端部噴射装置が、燃料として天然ガス及びシンガスを前記燃焼器のヘッド端部に送給し、前記軸方向多段噴射装置が、追加燃料として低発熱量ガスを前記燃焼器の下流側セクション及び前記移行部品に送給する第２のモードと、
前記ヘッド端部噴射装置が、燃料として低発熱量ガスを前記燃焼器のヘッド端部に送給し、前記軸方向多段噴射装置が、追加燃料として天然ガス又は低発熱量ガスを前記燃焼器の下流側セクション及び前記移行部品に送給する第３のモードと、
前記ヘッド端部噴射装置が、燃料として天然ガスと低発熱量ガスを前記燃焼器のヘッド端部に送給し、前記軸方向多段噴射装置が、追加燃料として天然ガスと低発熱量ガスを前記燃焼器の下流側セクション及び前記移行部品に送給する第４のモードと、
のうちの１つ又はそれ以上を含み、
前記ヘッド端部噴射装置が、
中央バーナと中央バーナの周囲に配列された外側アニュラスバーナを含む中央燃料ノズルと、
前記中央燃料ノズルの周囲に配列された外側燃料ノズルと、
を備え、
外側燃料ノズルの各々は、中央バーナと中央バーナの周囲に配列された外側アニュラスバーナを含む、
ターボ機械。
【請求項２】
前記移行部品が湾曲している、請求項１に記載のターボ機械。
【請求項３】
前記燃焼器を通る流路が、前記タービンセクションを通る流路からオフセットしており、前記移行部品が、
前記燃焼器を通る流路と整列した前方端部と、
前記タービンセクションを通る流路整列した後方端部と、
を含む、請求項１に記載のターボ機械。
【請求項４】
前記軸方向多段噴射装置が、第１段と該第１段から下流側に配置される第２段とに配列され、
前記第１段は、前記燃焼器と前記移行部品との間の接続部の前方に近接し、
前記第２段は、前記移行部品の半径方向湾曲部の前方にある、
請求項１に記載のターボ機械。
【請求項５】
前記第１段の軸方向多段噴射装置に前記追加燃料を供給する第１の燃料マニホルドと、
前記第２段の軸方向多段噴射装置に前記追加燃料を供給する第２の燃料マニホルドと、
を更に備え、
前記移行部品は、前記燃焼器と整列した前方端から、前記タービンセクションと整列した後方端部まで湾曲部を有し、
前記第１の燃料マニホルドと前記第２の燃料マニホルドは、前記湾曲部の前方に配置される、
請求項４に記載のターボ機械。
【請求項６】
前記複数のモードが、始動モード、ベース負荷モード、及び過燃焼モードを含む、請求項１に記載のターボ機械。
【請求項７】
作動流体を生成するよう燃料が燃焼可能な燃焼器と、発電運転のため前記作動流体を受け入れ可能なタービンセクションと、追加燃料が燃焼可能である移行部品と、を含むターボ機械の多段燃焼システムであって、
前記移行部品が、前記作動流体を前記燃焼器から前記タービンセクションに移送するよう配置可能であり、
前記移行部品が、
複数のモードで配合された燃料を前記燃焼器のヘッド端部に送給するよう配置可能なヘッド端部噴射装置と、
複数のモードで配合された追加燃料を前記燃焼器の下流側セクション及び前記移行部品に送給するよう配置可能な軸方向多段噴射装置と、
前記軸方向多段噴射装置を前記燃焼器の下流側セクションと前記移行部品に結合する複数のカップリングと、
を備え、
前記ヘッド端部噴射装置が、
中央バーナと中央バーナの周囲に配列された外側アニュラスバーナを含む中央燃料ノズルと、
前記中央燃料ノズルの周囲に配列され、各々が中央バーナと中央バーナの周囲に配列された外側アニュラスバーナを含む外側燃料ノズルと、
と、
を備え、
前記複数のモードが、
前記ヘッド端部噴射装置が、燃料として天然ガスを前記中央燃料ノズルの前記中央バーナと２つの前記外側燃料ノズルのみを介して前記燃焼器のヘッド端部に送給し、前記軸方向多段噴射装置が、追加燃料としてシンガス又は低発熱量ガスを前記燃焼器の下流側セクション及び前記移行部品に送給する第１のモードと、
前記ヘッド端部噴射装置が、燃料として天然ガス及びシンガスを２つの前記外側燃料ノズルの前記中央バーナのみと前記中央燃料ノズル及び３つの前記外側燃料ノズルの前記中央バーナ及び前記外側アニュラスバーナを介して前記燃焼器のヘッド端部に送給し、前記軸方向多段噴射装置が、追加燃料として低発熱量ガスを前記燃焼器の下流側セクション及び前記移行部品に送給する第２のモードと、
前記ヘッド端部噴射装置が、燃料として低発熱量ガスを前記中央燃料ノズル及び全ての前記外側燃料ノズルの前記中央バーナ及び前記外側アニュラスバーナを介して前記燃焼器のヘッド端部に送給し、前記軸方向多段噴射装置が、追加燃料として天然ガス又は低発熱量ガスを前記燃焼器の下流側セクション及び前記移行部品に送給する第３のモードと、
前記ヘッド端部噴射装置が、燃料として天然ガスと低発熱量ガスを前記中央燃料ノズル及び全ての前記外側燃料ノズルの前記外側アニュラスバーナのみを介して前記燃焼器のヘッド端部に送給し、前記軸方向多段噴射装置が、追加燃料として天然ガスと低発熱量ガスを前記燃焼器の下流側セクション及び前記移行部品に送給する第４のモードと、
前記ヘッド端部噴射装置が、燃料として天然ガスと低発熱量ガスを前記中央燃料ノズルの前記中央バーナ及び前記外側アニュラスバーナと全ての前記外側燃料ノズルの前記外側アニュラスバーナのみを介して前記中央燃料ノズル及び全ての前記外側燃料ノズルの前記外側アニュラスバーナのみを介して前記燃焼器のヘッド端部に送給し、前記軸方向多段噴射装置が、追加燃料として天然ガスと低発熱量ガスを前記燃焼器の下流側セクション及び前記移行部品に送給する第５のモードと、
を含む、
多段燃焼システム。
【請求項８】
前記軸方向多段噴射装置が、第１段と、該第１段の下流側に配置された第２段とで配列される、請求項７に記載の多段燃焼システム。
【請求項９】
前記第１段の軸方向多段噴射装置に前記追加燃料を供給する第１の燃料マニホルドと、
前記第２段の軸方向多段噴射装置に前記追加燃料を供給する第２の燃料マニホルドと、
を更に備え、
前記移行部品は、前記燃焼器と整列した前方端から、前記タービンセクションと整列した後方端部まで湾曲部を有し、
前記第１の燃料マニホルドと前記第２の燃料マニホルドは、前記湾曲部の前方に配置される、
請求項８に記載の多段燃焼システム。
【請求項１０】
前記複数のモードが、始動モード、ベース負荷モード、及び過燃焼モードを含む、請求項７に記載の多段燃焼システム。
【請求項１１】
ターボ機械の作動方法であって、
ヘッド端部噴射装置を介して燃焼器のヘッド端部へ燃料を供給することによって、前記燃焼器において前記燃料を燃焼させて作動流体を生成するステップと、
前記作動流体を前記燃焼器から移行部品を通じて移送するステップと、
前記移行部品において追加燃料を燃焼させるステップと、
前記軸方向多段噴射装置を介して前記追加燃料を前記燃焼器の下流側セクション及び前記移行部品に送給するステップと、
前記燃料と前記追加燃料の成分を複数のモードで配合するステップと、
を含み、
前記複数のモードが、
前記ヘッド端部噴射装置が、燃料として天然ガスを前記燃焼器のヘッド端部に送給し、前記軸方向多段噴射装置が、追加燃料としてシンガス又は低発熱量ガスを前記燃焼器の下流側セクション及び前記移行部品に送給する第１のモードと、
前記ヘッド端部噴射装置が、燃料として天然ガス及びシンガスを前記燃焼器のヘッド端部に送給し、前記軸方向多段噴射装置が、追加燃料として低発熱量ガスを前記燃焼器の下流側セクション及び前記移行部品に送給する第２のモードと、
前記ヘッド端部噴射装置が、燃料として低発熱量ガスを前記燃焼器のヘッド端部に送給し、前記軸方向多段噴射装置が、追加燃料として天然ガス又は低発熱量ガスを前記燃焼器の下流側セクション及び前記移行部品に送給する第３のモードと、
前記ヘッド端部噴射装置が、燃料として天然ガスと低発熱量ガスを前記燃焼器のヘッド端部に送給し、前記軸方向多段噴射装置が、追加燃料として天然ガスと低発熱量ガスを前記燃焼器の下流側セクション及び前記移行部品に送給する第４のモードと、
のうちの１つ又はそれ以上を含む、
方法。
【請求項１２】
第１段と該第１段から下流側に配置される第２段で前記軸方向多段噴射装置を配列するステップを更に含む、請求項１１に記載の方法。
【請求項１３】
第１の燃料マニホルドを介して前記第１段の軸方向多段噴射装置に前記追加燃料を供給するステップと、
第２の燃料マニホルドを介して前記第２段の軸方向多段噴射装置に前記追加燃料を供給するステップと、
を更に含む、請求項１２に記載の方法。
【請求項１４】
前記複数のモードが、始動モード、ベース負荷モード、及び過燃焼モードを含む、請求項１１に記載の方法。